(57)【要約】      （修正有）【課題】心神喪失が発生しても、祭祀財産を円滑に相続できる情報処理装置を提供する。【解決手段】祭祀財産の情報処理装置は、心神喪失の発生前に、祭祀財産につき、意思表示に基づく相続内容を記憶するとともに、祭祀財産以外の財産につき、意思表示に基づく祭祀財産の相続内容と異なる相続内容を記憶する記憶手段と、心神喪失を発生しているか否かの判別結果に応じて、発生していないと判別された場合には、祭祀財産及び祭祀財産以外の財産の相続を、それぞれ異なる相続内容に基づいて、相続を許容させるように提示する第一の制御手段と、発生していると判別された場合には、発生前に記憶されたそれぞれの相続内容に基づき、祭祀財産及び祭祀財産以外の財産をそれぞれ相続するように相続内容とともに提示する第二の制御手段とを備える。【選択図】図６
0003230897.tif 000002
【実用新案登録請求の範囲】
【請求項１】
人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段に対して、
上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の処理と、
上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の処理とを、コンピュータに実行させる祭祀財産の情報処理のためのコンピュータプログラム。
【請求項２】
人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段と、
上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の制御手段と、
上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の制御手段とを備えたことを特徴とする祭祀財産の情報処理装置。
【請求項３】
上記相続内容は、相続人であり、祭祀財産の相続人と、祭祀財産以外の財産の相続人とは一致しないことを特徴とする請求項２記載の祭祀財産の情報処理装置。
【請求項４】
上記祭祀財産は、１つまたは複数の収納体に収納されて、上記人の心神喪失、心神耗弱、認知症、痴呆を発生する前に意思表示された当該祭祀財産の相続人と当該意思表示の年月日が、当該収納体または当該祭祀財産に記録されていることを特徴とする請求項３記載の祭祀財産の情報処理装置。
【請求項５】
上記祭祀財産または上記収納体には、当該祭祀財産の歴代の相続の相続人または歴代の相続の年月日若しくはこれらの系譜が当該収納体または当該祭祀財産に記録されていることを特徴とする請求項４記載の祭祀財産の情報処理装置。
【請求項６】
上記収納体に収納される祭祀財産は、墓じまいされた残りの祭祀に係る財産であることを特徴とする請求項５記載の祭祀財産の情報処理装置。
【請求項７】
上記祭祀財産は、上記墓じまいによる樹木葬に係る樹木、森林または植物、これらの地球上の所在場所の地理的情報、これらの周囲の不動産、当該樹木、森林または植物の現在の映像若しくは樹木葬の葬儀の状況の記録情報、墓じまいに係る仏具であることを特徴とする請求項６記載の祭祀財産の情報処理装置。
【請求項８】
上記祭祀財産の相続人が不存在の場合、または相続が放棄される場合、上記墓じまいが実行される情報が提示されることを特徴とする請求項７記載の祭祀財産の情報処理装置。
【請求項９】
上記心神喪失、心神耗弱、認知症、痴呆を発生する前に、上記祭祀財産につき、当該人の意思表示に基づく相続内容が記憶されていなければ、公的機関の斡旋、指示、助言を仰ぐ情報が提示されることを特徴とする請求項８記載の祭祀財産の情報処理装置。
【考案の詳細な説明】
【技術分野】
【０００１】
本考案は、祭祀財産の情報処理装置及び祭祀財産の情報処理のためのコンピュータプログラムに関し、特に心神喪失、心神耗弱、認知症、痴呆などの発生があっても祭祀財産を円滑に相続／承継できる装置／プログラムに関する。
【背景技術】
【０００２】
近年、心神喪失、心神耗弱、認知症、痴呆など（以下「心神喪失」と総称する。以下同じ）が問題になってきており、これらを発症すると、心神喪失を発生した人の長子その他の子供、親族に祭祀財産の相続、その他法律上の手続を代理してもらうことが多い。しかし、祭祀財産は祭祀財産以外の財産と異なることも考えられ、相続人が異なったり、その他の相続内容が異なったり、祭祀財産以外の財産の相続内容・処分と異なることも考えられる。
【０００３】
【特許文献１】登録実用新案３１９６００１号公報
【特許文献２】特開２００９−２３５６９７号公報
【特許文献３】特開２００６−２４１９６３号公報
【特許文献４】特開２００３−２３９５６８号公報
【特許文献５】特開２００２−０５６１１９号公報
【特許文献６】特開２０００−０６２３５４号公報
【特許文献７】特開２００２−００７５９６号公報
【特許文献８】特開２００３−２６５３０３号公報
【特許文献９】特開２００３−３３１０４０号公報
【特許文献１０】特開２００６−１７１７４３号公報
【特許文献１１】特開２０１７−１２６３０６号公報
【特許文献１２】特開２０１９−０９１４０６号公報
【特許文献１３】実開平０２−０３１５８３号マイクロフィルム
【考案の開示】
【考案が解決しようとする課題】
【０００４】
本考案は、上述した課題を解決するためになされたものであり、本考案の目的は、祭祀財産の相続／承継につき、心神喪失、心神耗弱、認知症、痴呆を発生しても直ちに対応でき、不測の損失を心神喪失、心神耗弱、認知症、痴呆などの発症者に与えないようにすることにある。また、祭祀財産の相続内容と、祭祀財産以外の財産の相続内容が異なっていても円滑に対応できるようにすることにある。
【課題を解決するための手段】
【０００５】
上記目的を達成するために、本考案の祭祀財産の情報処理装置は、  人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段と、  上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の制御手段と、  上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の制御手段とを備えた。
【０００６】
これにより、人／依頼人の心神喪失、心神耗弱、認知症、痴呆発生後に祭祀財産の相続などができるように、心神喪失、心神耗弱、認知症、痴呆発生前に決めておくことができ、祭祀財産の相続などを心神喪失、心神耗弱、認知症、痴呆発生後も円滑かつ迅速に実行できる。また、心神喪失、心神耗弱、認知症、痴呆発生後に公的機関、後見人、保佐人、代理人の活動などができるように、心神喪失、心神耗弱、認知症、痴呆発生前に決めておくことができ、公的機関、後見人、保佐人、代理人の活動などを心神喪失、心神耗弱、認知症、痴呆発生後も円滑かつ迅速に実行できる。これは、祭祀財産の情報処理方法及び祭祀財産の情報処理のためのコンピュータプログラムでも同様である。
【図面の簡単な説明】
【０００７】
【図１】祭祀財産の収納体１１を示す。
【図２】祭祀財産及び祭祀財産以外の財産の相続内容の情報処理装置の全体回路を示す。
【図３】祭祀財産及び祭祀財産以外の財産の相続内容の情報処理（全体処理）のフローチャートを示す。
【図４】祭祀財産及び祭祀財産以外の財産の相続内容の書き込み処理のフローチャートを示す。
【図５】祭祀財産及び祭祀財産以外の財産の相続内容の読み出し処理（心神喪失前）のフローチャートを示す。
【図６】祭祀財産及び祭祀財産以外の財産の相続内容の読み出し処理（心神喪失後）のフローチャートを示す。
【符号の説明】
【０００８】
１…コントローラ
２…アドレス／データバスライン
３…入力部  ４…出力部
５…インターフェース部
６…情報記憶部（祭祀財産及び祭祀財産以外の財産の相続内容の記憶手段）
７…プログラム／データ記憶部（祭祀財産及び祭祀財産以外の財産の相続内容の記憶手段）
１１…収納体  １２…蓋
【考案を実施するための形態】
【０００９】
（１）祭祀財産の収納体１１
図１は祭祀財産が収納される収納体１１を示す。この収納体１１は箱型であり、方形の蓋１２が収納体１１の上面にて開閉可能となっていて、収納体１１から祭祀財産を出し入れ可能となっている。この収納体１１の蓋１２の上面には、当該祭祀財産を相続させたい相続人と当該相続させる意思表示のあった年月日が記録されている。
【００１０】
これにより、祭祀財産の相続の意思表示がなされ、遺言状としても機能でき、祭祀財産とその遺言状を一体不可分にできる。このような意思表示の記録は、図５、図６のステップ３８、４３、４４、５２、５４、５７、６６に沿って、人／依頼人の心神喪失の前になされる。しかし、図６のステップ７２に沿って、心神喪失の後でも可能である。
【００１１】
そして、この収納体１１の蓋１２の上面または蓋１２の裏面には、当該祭祀財産のこれまでの歴代の相続の相続人またはこの歴代の相続の各年月日若しくはこれらの系譜も記録されている。これにより、祭祀財産の相続の歴史をさかのぼって知ることができ、祭祀財産の重みを感じることができる。
【００１２】
上記収納体１１に収納される祭祀財産は、墓じまいされたときには、墓じまいで消滅する祭祀財産を除いた残りの祭祀に係る財産／祭祀財産となる。上記祭祀財産の相続人と意思表示の年月日と祭祀財産の歴代の相続の相続人または歴代の相続の年月日若しくはこれらの系譜とは、祭祀財産に直接、例えば仏壇などに直接記録されてもよい。また、祭祀財産が多いときには収納体１１は１つではなく複数とされ祭祀財産は分けて収納される。
【００１３】
上記祭祀財産の祭祀は、神々や祖先をまつることである。古代に山岳・島・沼沢などに神霊をまつったことが、出土品などによって認められる遺跡を祭祀遺跡という。先祖の祭祀をつかさどる地位を相続するのが祭祀相続である。
【００１４】
上記祭祀財産は、仏壇、仏具、仏像、位牌、神棚、墓碑、墓地、墓石、墓標、系譜、祭具、墳墓、埋棺、十字架、聖書、コーラン、樹木葬または森林葬の樹木、森林、植物、周辺の土・砂・石、これらの地球上の所在場所の地理的情報、樹木葬または森林葬の葬儀の記録情報である。
【００１５】
上記仏壇は、仏像や位牌を安置して礼拝するための壇である。上記仏具は、仏前を飾り、また仏事に用いる道具である。上記仏像は、仏教の礼拝の対象として造られた仏の彫像・画像であり、場合によって仏陀以外の菩薩・明王・諸天も含む。上記位牌は、死者の俗名や戒名を記した木などの札である。上記神棚は、家の中で、大神宮などの神符を祭る棚などである。
【００１６】
上記墓碑は、死者の氏名・戒名・没年月日・事績などを彫りこんで、墓標として立てる石などである。上記墓地は、死者を葬って墓を建てる場所である。上記墓石は、墓じるしの石、または墓標の石である。上記墓標は、墓のしるしに立てる、木や石などであり、最近は樹脂、金属もある。上記系譜は、血縁関係や系統関係を図式的に記したものであり、系図ともいう。
【００１７】
上記祭具は、祭に用いる道具である。上記墳墓は、人を葬るはかであり、「墳」は盛土のある墓所、「墓」は盛土のない墓所をいう。上記十字架は、キリスト教徒が尊ぶ十字形のしるしであり、イエスが磔にされた記念、尊敬・名誉・犠牲・贖罪・苦難の表象、または礼拝の対象、また、装飾として用いられる。
【００１８】
上記聖書は、聖人の述作した書籍であり、旧約聖書・新約聖書の総称である。上記コーランは、イスラム教の聖典であり、ムハンマドの受けた啓示を結集したものであって、イスラムの世界観・信条・倫理・行為規範をアラビア語の散文詩体で述べ、114章から成っている。
【００１９】
上記祭祀財産以外の財産は、上記祭祀財産以外の相続に値する財産をいい、不動産、動産、有価証券、生命保険、土地、建物、車両、船舶、航空機、預金、貯金、現金、生命保険、株式、有価証券、債券、骨とう品、貴金属、宝石などである。
【００２０】
上記樹木葬、森林葬（登録商標）は、樹木または森林の周囲、周辺に散骨または埋葬することであり、散骨される場合及び墓じまいされる場合、墓碑、墓石、墓標、墳墓、墓地などは無くなる。埋葬される場合、樹木の近傍、森林の中などに、小型の墓、墓碑、墓石、墓標、墳墓、墓地などがある。これらは、本件出願人または本願考案者／発明者と同じ出願人または発明者に係る特開２０１７−１２６３０６号公報にも詳しく説明されている。
【００２１】
上記地理的情報は、東経、西経、北緯、南緯、ＧＰＳ情報、住所の情報のほか、月、他の惑星、他の恒星、他の恒星の惑星のなどの地理的情報のほか、高度も含み、宇宙、空中、地上、地下、海面下、海面上なども含まれ、上記墓碑、墓地、散骨場所、仏壇、仏具、仏像、位牌、神棚、系譜、祭具、墳墓などの地理的位置を示す。この葬儀の記録情報は、葬儀・散骨の状況の画像、音声、時刻、時間などが含まれる。
【００２２】
上記収納体１１には、当該収納体１１より小さい祭祀財産が収納され、場合によって、収納体１１は大きくされ、多くまたは全部の祭祀財産が収納される。収納体１１に収納されない祭祀財産には、祭祀財産の相続人と意思表示の年月日と祭祀財産の歴代の相続の相続人または歴代の相続の年月日若しくはこれらの系譜が直接記録される。
【００２３】
上記心神喪失は、精神機能の障害のため意思能力を欠く状態をいい、行為者が、当該行為の「実行のとき」、精神障害のため、行為の不法を弁別しまたはその弁別に従って行為する能力がない場合をいう（他行為可能性・非難可能性）。上記心神耗弱は、意思能力はあるが、精神機能の障害のため、その結果を正しく認識しえずに行為をするおそれがある状態をいう。
【００２４】
上記認知症は、脳の器質性障害により、いったん正常に発達した知能が、慢性的に低下した状態をいい、記憶障害、失行・失認・失語・実行機能障害などさまざまな症状が出現し、その原因は脳血管障害、アルツハイマー病である。「認知症」は厚生労働省老健局長の通知により、「痴呆」に代わって使用されることになった用語である。
【００２５】
上記痴呆は、いったん個人が獲得した知的精神的能力が失われて、元に戻らない状態をいい、ふつう感情面・意欲面の低下をも伴い、脳の腫瘍・炎症、中毒・血液循環障害などに由来し、加齢によることもあり、老人性痴呆・麻痺性痴呆の類である。
【００２６】
上記心神喪失、心神耗弱、認知症、痴呆は、一例であり、その他正常な判断ができず、祭祀財産または祭祀財産以外の財産につき、正常な相続ができない状態をすべて含み、このような状態を以下まとめて「心神喪失」と総称する。
【００２７】
（２）全体回路
図２は、祭祀財産及び祭祀財産以外の財産及びその相続内容などの情報処理のデータ処理装置／システム、祭祀財産及び祭祀財産以外の財産及びその相続内容などの情報処理方法を実現するための装置／システム、祭祀財産及び祭祀財産以外の財産及びその相続内容などの情報処理のためのコンピュータプログラムを実行する装置／システム、祭祀財産及び祭祀財産以外の財産及びその相続内容などの情報処理装置／システム、サーバー、パソコン、スマートフォン、携帯情報端末、インターネット機器、カーナビゲーション、マイクロコンピュータ、システムの全体回路を示す。
【００２８】
この全体回路は、コントローラ１（中央処理演算装置であるＣＰＵ、ＲＯＭ、ＲＡＭ、時計回路など）を中心に、アドレス信号及びデータ信号が双方向に伝達されるアドレス／データバスライン２を介して入力部３、出力部４、インターフェース部５、情報記憶部６、プログラム／データ記憶部７等と電気的に接続されて構成されている。
【００２９】
入力部３は、キーボ−ド、マウス、タッチパネル、デジタイザなどの文字入力装置または画像入力装置などからなっている。文字入力装置または画像入力装置からは、祭祀財産及び祭祀財産以外の財産及びその相続内容などの各種情報、連絡先情報、年月日情報、期間情報、現在情報、画像情報などが入力され、文章数値データ、日付日時データなども入力され、さらに、その他の各種データを処理するためのコマンド、設定・指示データ、その他の情報が入力されてもよい。
【００３０】
出力部４は、ディスプレイ、プリンタなどから構成されており、上記祭祀財産及び祭祀財産以外の財産及びその相続内容などの各種情報、連絡先情報、年月日情報、期間情報、現在情報、画像情報、文章数値データ、日付日時データなどの各種データ、種々の情報の入力画面、制御画面、出力画面などが表示画面に表示／印刷されるなどの出力処理が行われる。
【００３１】
インターフェース部５は、ＬＡＮ、インターネット、外部機器接続用のなどの送受信回路などからなり、外部入力装置と外部出力装置とからなる外部装置が接続される。このインターフェース部５を通じて、他のパソコンなどからも、上記祭祀財産及び祭祀財産以外の財産及びその相続内容などの情報などの各種情報、連絡先情報、年月日情報、期間情報、現在情報、画像情報、文章数値データ、日付日時データなどの各種データなどのほか、その他のデータ、コマンド、設定・指示データ、その他の情報、プログラムが送受される。
【００３２】
プログラム／データ記憶部７（内部記憶媒体／手段）はフラッシュメモリ、ＥＥＰＲＯＭ、ＥＰＲＯＭ、ＣＤ−ＲＯＭなどＲＯＭ等の不揮発性メモリと、ＲＡＭ、キャッシュメモリ、ハードディスク、磁気カード、磁気ディスク、ＣＤ−ＲＡＭ、ＤＶＤ（デジタルビデオディスク）等が用いられた一時記憶メモリという大別して二種類の記憶装置（記憶手段）から構成されている。
【００３３】
そして、プログラム／データ記憶部７のＲＯＭには、祭祀財産及び祭祀財産以外の財産及びその相続内容などの情報処理装置（全体回路）で実行されるプログラムや各種処理に使用される汎用データが記憶される。このプログラムは後述するフローチャートに対応している。また、プログラム／データ記憶部７の一時記憶メモリには、プログラム処理中のデータの一時的な蓄積等、つまりワーキングメモリ若しくはキャッシュメモリとして用いられ、フラグ、モードなども記憶される。
【００３４】
また、情報記憶部６（外部記憶補助媒体／手段、補助記憶媒体）は、磁気ディスク、光ディスク、フレキシブルディスク（プロッピィーディスク）、磁気ドラム、磁気テープ、メモリカード、ＣＤ−ＲＡＭ、ＣＤ−ＲＯＭ、ＤＶＤなどの大量情報記憶／保存メディアとそれらのメディアへの情報書き込み／読み出し装置等（ドライブ装置、インターフェイス回路）から構成されている。
【００３５】
なお、場合によって、祭祀財産及び祭祀財産以外の財産及びその相続内容などの情報処理装置は、情報記憶部６のＲＯＭ内に予め記憶されたプログラムによって単一の処理が行われる専用装置とされ、情報記憶部６に保存されたプログラムが、適宜、プログラム／データ記憶部７のＲＡＭ内に呼び込まれて起動される汎用のコンピュータ装置とされる。この場合は、情報記憶部６には、コントローラ１によって実行される基本ソフト（オペレーティングソフト）、システムソフト、応用プログラムを含む各プログラムが保存されている。
【００３６】
そして、祭祀財産及び祭祀財産以外の財産及びその相続内容などの情報処理装置の電源立ち上げ時、または新たなプログラムの起動時等において、情報記憶部６から読み出されて取り込まれ、プログラム／データ記憶部７のＲＡＭ等に一時的に保存されると共に、コントローラ１によって実行される。つまり、祭祀財産及び祭祀財産以外の財産及びその相続内容などの情報処理装置によって実行されるプログラムが、情報記憶部６に保存されており、適宜読み出されて取り込まれてコントローラ１によって実行される。
【００３７】
この場合、新たなプログラムへの変更は、情報記憶部６内に保存されているプログラム自体が置き換えられるか、若しくはプログラムの保存されているＣＤ−ＲＯＭ、磁気ディスク、フレキシブル磁気ディスク等が交換される（インストール／転送される）ことで行われる。
【００３８】
また、プログラム／データ記憶部７のＥＰＲＯＭに保存されたプログラムを専用に実行するコンピュータ装置の場合には、同じように、ＣＤ−ＲＯＭ、磁気ディスク、フレキシブル磁気ディスク等が交換される（インストール／転送される）ことに呼応してＥＰＲＯＭ等の書き換えが行われるか、またはＲＯＭ自体の交換によって達成される。
【００３９】
なお、このプログラムの新規置き換えは、場合によって、上記インターフェース部５を通じて、インターネット回線、電話回線、公衆回線またはＬＡＮ回線を介して接続されている他のコンピュータなどの外部装置から送られてくる。つまり、コンピュータ装置（全体回路）で実行されるプログラムが、情報記憶部６に対して直接的に交換されたり、インターネットなどの通信網を介して国内外の外部装置から送られてきたもので交換されたりする。
【００４０】
したがって、場合によって、祭祀財産及び祭祀財産以外の財産及びその相続内容などの情報処理装置（全体回路）において実行されるプログラムが、起動の度毎に、国内外の外部装置から送られてくる。つまり、祭祀財産及び祭祀財産以外の財産の情報処理装置の情報記憶部６に応用プログラムが保存されておらず、国内外の外部装置から送られてくるプログラムを実行する端末装置の役目のみが、本考案の祭祀財産及び祭祀財産以外の財産の情報処理装置（全体回路）に与えられる。さらには、国内外の外部装置からプログラムとそのプログラムによって処理されるデータが共に送られてきて、そのプログラムによってデータ処理がなされた後、その結果が国内外の外部装置に送り返される。
【００４１】
また、祭祀財産及び祭祀財産以外の財産及びその相続内容などの情報処理装置（コンピュータ装置）で実行されるプログラムは、場合によって、ＯＳなどの基本プログラムを基に、応用プログラムが実行されるような、一般的なコンピュータシステムによるプログラムであり、ＯＳを含む統一化された一つのプログラムのみが実行される専用のコンピュータシステムである。よって、それらの統一化されたプログラムが国内外の外部装置から与えられるし、応用プログラムまたは基本プログラムまたはプログラムの一部のみが国内外の外部装置から送られてきて実行される。
【００４２】
なお、場合によって、本祭祀財産及び祭祀財産以外の財産及びその相続内容などの情報処理装置（コンピュータ装置）に予め別のオペレーティングシステム、システムプログラム（ＯＳ）、その他のプログラムが記憶され、上記プログラムはこれらのＯＳ、その他のプログラムとともに実行される。このプログラムは本装置（コンピュータ本体）にインストールされ実行されるときに、別のプログラムとともにまたは単独で請求項（特許請求の範囲／実用新案登録請求の範囲）または末尾の他の発明／考案の効果の各請求項に記載された処理／機能を実行させる。
【００４３】
また、場合によって、このプログラムの一部または全部が本装置以外の１つ以上の国内外の単数又は複数の別装置に記憶されて実行され、本装置と別装置との間には通信手段を介して、これから処理するデータ／既に処理されたデータ／プログラムが送受され、本装置及び別装置全体として、本発明／考案が実行される。これらの通信手段はインターネット通信システムなどである。
【００４４】
上記プログラム／データ記憶部７には、人／依頼人の心神喪失、心神耗弱、認知症、痴呆の発生前に、当該人／依頼人の祭祀財産につき、当該人／依頼人の意思表示に基づく相続内容が記憶されるとともに、当該人／依頼人の祭祀財産以外の財産につき、当該人／依頼人の意思表示に基づく上記祭祀財産の相続内容と異なる相続内容が記憶される。
【００４５】
この異なる相続内容は、例えば、祭祀財産以外の財産は遺族で分けて配分し、祭祀財産は居住地が墓に最も近い遺族が相続するとか、祭祀財産以外の財産は事業を相続する遺族が相続し、祭祀財産は当該事業を相続しない長男が相続するとかなどである。この相続内容は、承継内容なども含まれ、祭祀財産を人から他の人へ受け継ぐすべてのことを意味する。
【００４６】
（３）祭祀財産及び祭祀財産以外の財産の情報処理（全体処理）
図３は、上記コントローラ１によって実行される祭祀財産及び祭祀財産以外の財産及びその相続内容の情報処理（全体処理）のフローチャートを示す。
【００４７】
図３の処理は電源投入または当該プログラム実行の所定処理によって開始され、まず、イニシャライズ処理が実行され（ステップ１１）、上記情報記憶部６、プログラム／データ記憶部７のエラーチェック、その他の初期化が行われる。
【００４８】
次いで、祭祀財産及び祭祀財産以外の財産及びその相続内容などの情報の書き込み処理が実行され（ステップ１２）、さらに祭祀財産及び祭祀財産以外の財産及びその相続内容などの情報の読み出し処理が実行され（ステップ１３）、これ以降、電源が切られるまで、この書き込み処理と読み出し処理とが繰り返される。
【００４９】
（４）祭祀財産及び祭祀財産以外の財産の情報の書き込み処理（ステップ１２）
図４は、上記ステップ１２の祭祀財産及び祭祀財産以外の財産及びその相続内容などの情報の書き込み処理のフローチャートを示す。この処理では、上記入力部３より、データ、情報の入力があれば（ステップ２１）、これらのデータ、情報をプログラム／データ記憶部７に書き込み（ステップ２２）、この書き込まれたデータ、情報に応じた処理が実行される（ステップ２３）。
【００５０】
この書き込まれた祭祀財産及び祭祀財産以外の財産及びその相続内容などの情報は、祭祀財産と祭祀財産以外の財産とで分けられ、各人／依頼人ごとに多数の人間ごとに、それぞれ異なる相続内容で記憶される。この場合、各人／依頼人ごとを識別するための識別情報が付加されて、この識別情報ごと、つまり各人／依頼人ごとに祭祀財産及び祭祀財産以外の財産及びその相続内容などの情報の情報がそれぞれ記憶される。この人／依頼人には、代理人によって手続される場合も含まれる。
【００５１】
（５）祭祀財産及び祭祀財産以外の財産の情報の読み出し処理（ステップ１３）（心神喪失発生前）
図５は上記ステップ１３のプログラム／データ記憶部７からの祭祀財産及び祭祀財産以外の財産の情報及びその相続内容などの読み出し処理（心神喪失発生前）のフローチャートを示す。入力された上記識別情報に対応した上記人／依頼人が心神喪失を発生しているか否かの判別をする。この心神喪失を発生している否かは、医師の診断またはコントローラ１の判別に基づく。
【００５２】
まず、上記人／依頼人の脳の海馬傍回の萎縮度のデータがプログラム／データ記憶部７にあれば（ステップ３１）、上記人／依頼人の脳の海馬傍回の萎縮度に基づいて、または加味・参考にされて、医師などによってまたはコントローラ１によって心神喪失を発生しているか否かが判別される（ステップ３２）。
【００５３】
例えば、ＭＲＩスキャン、ＭＲＡスキャン、ＣＴスキャンなどによって、脳の海馬傍回の萎縮度が、９５％、９０％、………、８０％、………、に達すれば、これらの情報が上記出力部４に提示され出力され、心神喪失を発生している可能性が高いと医師またはコントローラ１によって判別され上記出力部４に提示され出力される、または医師またはコントローラ１の判別に加味・参考され上記出力部４に提示され出力される。
【００５４】
さらに、上記人／依頼人の遺伝子の情報がプログラム／データ記憶部７にあれば（ステップ３３）、上記人／依頼人の遺伝子の情報を加味して、医師などによってまたはコントローラ１によって心神喪失／認知症を発生しているか否かが判別される（ステップ３４）。この遺伝子は、アポリポ蛋白Ｅフェノタイプの検査である。
【００５５】
このアポリポ蛋白Ｅフェノタイプの遺伝子を持たないか、１つ持つか、２つ持つかによって分かれる。１つも持たなければアルツハイマー病のリスクは標準的で、１つ持てばアルツハイマー病のリスクは３倍に上昇し、２つ持てばアルツハイマー病のリスクは１０倍に上昇すると考えられる。このような判別の情報が、医師またはコントローラ１によって実行され上記出力部４に提示され出力される、または医師またはコントローラ１の判別に加味・参考され上記出力部４に提示され出力される。
【００５６】
このような上記人／依頼人が心神喪失の状態にあるかどうかの判別結果に応じて、心神喪失の状態にないと判別された場合には（ステップ３５）、祭祀財産及び祭祀財産以外の財産の相続・処分を許容するように出力部４に提示され出力される（ステップ３６）。これにより、祭祀財産及び祭祀財産以外の財産について相続・処分することが可能になり、上述されたステップ１２のとおり、当該祭祀財産及び祭祀財産以外の財産の相続・処分の情報が記憶される。
【００５７】
上記ステップ２２で人／依頼人によって入力された人／依頼人の祭祀財産または／及び祭祀財産以外の財産のデータがプログラム／データ記憶部７に記憶されていれば（ステップ３７）、これらの財産の相続、見直し、評価、管理、保全、処分、運用（以下及び以上「相続・処分」という）してもよいという情報が出力部４に提示され出力される（ステップ４１〜４４）。
【００５８】
まず、祭祀財産以外の全財産のデータ及びその相続内容などの情報がプログラム／データ記憶部７から読み出され出力部４に提示され出力される（ステップ４１）。この上記祭祀財産以外の財産であって、その相続内容などは、例えば相続される不動産、動産、土地、建物、車両、マイカー、船舶、航空機、車両、マイカー、その他乗り物、預金、貯金、現金、生命保険、株式、有価証券、債券、骨とう品、貴金属、宝石などの動産など、相続、非相続を問わず、多種多様なものが含まれる。
【００５９】
そして、この祭祀財産以外の財産についての相続内容の中の相続人の情報がプログラム／データ記憶部７から読み出され出力部４に提示される出力される（ステップ４２）。これにより、依頼者の意思がよく分かり祭祀財産以外の財産の遺産相続でもめることがない。この場合、相続人が複数であり、祭祀財産以外の財産も複数に分割される場合には、当該複数・分割の状況が出力部４に提示され出力される。
【００６０】
次いで祭祀財産の全財産のデータ及びその相続内容などの情報がプログラム／データ記憶部７から読み出され出力部４に提示され出力される（ステップ４３）。この祭祀財産であって、その相続内容などは、仏壇、仏像、仏具、位牌、神棚、墓碑、墓地、系譜、祭具、墳墓、十字架、聖書、コーラン、樹木葬または森林葬の樹木、森林、植物、これらの周辺の土・砂・石、遺骨で製造・加工された物、これらの地球上の所在場所の地理的情報、樹木葬または森林葬の葬儀の記録情報である。
【００６１】
樹木葬または森林葬は、特定の樹木または森林の近傍に散骨される葬儀を意味する。このような樹木葬または森林葬には、海、川、宇宙、空中、地下、地上におけるその他の散骨も含み、このような散骨は、墓じまいされるときに行われるが、墓じまいされないときに行われてもよい。
【００６２】
そして、この祭祀財産についての相続内容の中の相続人の情報であって、上記祭祀財産以外の財産についての相続人の情報とは異なり一致しない相続人の情報がプログラム／データ記憶部７から読み出され出力部４に提示される出力される（ステップ４４）。これにより、依頼者の意思がよく分かり祭祀財産の遺産相続でもめることがない。この場合、相続人が複数であり、祭祀財産も複数に分割される場合には、当該複数・分割の状況が出力部４に提示され出力される。
【００６３】
このように祭祀財産と祭祀財産以外の財産の相続内容には、相続人が含まれ、上記ステップ４５の祭祀財産の相続人と、上記ステップ４３の祭祀財産以外の財産の相続人とが異なり一致しない場合でも、両相続人が別々に記憶されるので対応できる。むろん、両相続人が同じで一致していてもよい。
【００６４】
上記祭祀財産の相続人が不存在の場合（ステップ５１）、墓じまいが実行されるような情報が提示され出力される（ステップ５２）。これにより、墓を守る人間が不存在となって、無縁墓地の発生を防止でき、墓が荒れてしまうことを防止できる。
【００６５】
この場合、祭祀財産以外の財産も相続人が不存在の場合は国庫に帰属されるが、祭祀財産以外の財産についてのみ相続がなされてもよく、このような場合には、公的機関の斡旋、指示、助言などによって祭祀財産の相続がなされる。この場合、祭祀財産以外の財産の相続人と祭祀財産の相続人とは異なっていて一致しない。しかし、一致していてもよい。
【００６６】
上記祭祀財産につき相続人が存在しても、当該祭祀財産の相続が放棄された場合（ステップ５３）、墓じまいが実行されるような情報が提示され出力される（ステップ５４）。これにより、墓を守ることが負担とならず、墓地の荒れを防止でき、墓の手入れが重荷になることを防止できる。上記「墓じまい」では、場合によって墓石の魂抜き、遺骨の永代供養、散骨などもなされ、墓じまいに係る仏具は、このような魂抜き、永代供養に関わるものとなる。
【００６７】
この場合、祭祀財産以外の財産については相続放棄の場合は消滅などされるが、祭祀財産以外の財産についてのみ相続がなされてもよく、このような場合には、公的機関の斡旋、指示、助言などによって祭祀財産の相続がなされる。この場合、祭祀財産以外の財産の相続人と祭祀財産の相続人とは異なっていて一致しない。しかし、一致していてもよい。
【００６８】
この場合、例えば、祭祀財産以外の財産は遺族で分けて配分し、祭祀財産は居住地が墓に最も近い遺族が相続するとか、祭祀財産以外の財産は事業を相続する遺族が相続し、祭祀財産は当該事業を相続しない長男が相続するとかなどである。
【００６９】
また、墓じまいされた場合には（ステップ５６）、上記祭祀財産には、さらに墓じまいによる樹木葬または森林葬に係る樹木、森林または植物、さらにこれらまたは他の散骨の地球上の所在場所の上記地理的情報、これらの周囲／近辺の不動産、当該樹木、森林または植物の現在の映像若しくは樹木葬または森林葬の葬儀の状況の記録情報、墓じまいに係る仏具が、場合によって含まれ、これらの情報が出力部４に提示され出力される（ステップ５７）。
【００７０】
墓じまいに係る仏具としては、墓じまいをするときの墓石・墓標を切り出したり、墓石・墓標が小型化されたり、墓石・墓標の一部で作った、位牌、数珠、印鑑、袈裟、首飾り、腕時計、装身具、小型の室内設置可能な仏像、小型の室内設置可能な墓石・墓標、小型の室内設置可能な墓誌、その他小型の仏壇、小型の仏像、小型の仏具、小型の位牌、小型の神棚、小型の墓碑、小型の墓地、小型の系譜、小型の祭具、小型の墳墓、十字架、聖書、コーラン、樹木葬または森林葬の小型の樹木、森林、植物、これらの周辺の土・砂・石、遺骨で製造・加工された物などである。
【００７１】
このように、墓じまいがなされても、祭祀財産すべてが消滅するのではなく、仏壇、仏具、仏像、位牌、神棚、系譜、祭具などの祭祀財産は依然として残り、この場合、上記祭祀財産は、墓じまいされた残りの祭祀に係る財産となる。しかし、このような墓じまいされたの残り祭祀財産の一部または全部は相続されてもよいし消滅されてもよい。
【００７２】
もし、上述の人／依頼人の祭祀財産または／及び祭祀財産以外の財産のデータ及びその相続内容などがプログラム／データ記憶部７に記憶されていなければ（ステップ３７）、人／依頼人の祭祀財産または／及び祭祀財産以外の財産のデータ及び相続内容などをプログラム／データ記憶部７に書き込むように出力部４に提示される（ステップ３８）。これにより、心神喪失発生前に祭祀財産または／及び祭祀財産以外の財産のデータ及びその相続内容などを記憶しておくことができる。
【００７３】
上記ステップ４１〜５７で読み出され出力される、祭祀財産以外の財産または／及び祭祀財産の情報、リスト、相続人、処分内容などは、「相続内容」として、上記ステップ３８、ステップ２２、ステップ１２でプログラム／データ記憶部７（情報記憶部６）に書き込まれる。この相続内容は、祭祀財産と（ステップ４３〜４４、５１〜５７）、祭祀財産以外の財産と（ステップ４１〜４２）で異なる。しかし、同じでもよい。
【００７４】
このようにステップ３５、ステップ３６〜５７によって、人／依頼人が心神喪失、心神耗弱、認知症、痴呆などを発生しているか否かの判別結果に応じて（ステップ３５）、当該人／依頼人が心神喪失、心神耗弱、認知症、痴呆などを発生していないと判別された場合には（ステップ３５）、上記祭祀財産及び祭祀財産以外の財産の相続を、上記それぞれ異なる相続内容に基づいて、それぞれの相続を許容させる情報が提示され出力される（ステップ３６〜５７）。
【００７５】
（６）祭祀財産及び祭祀財産以外の財産の情報の読み出し処理（ステップ１３）（心神喪失発生後）
図６は上記ステップ１３のプログラム／データ記憶部７からの祭祀財産及び祭祀財産以外の財産及びその相続内容などの情報の読み出し処理（心神喪失発生後）のフローチャートを示す。
【００７６】
上記入力された上記識別情報に対応した上記人／依頼人が心神喪失しているか否かの判別結果に応じて、心神喪失していると判別された場合には（ステップ３５）、プログラム／データ記憶部７に記憶されている祭祀財産及び祭祀財産以外の財産の相続・処分を禁止する情報が出力部４に提示され出力される（ステップ６１）。これにより、正常な判断ができないにもかかわらず、誤って人／依頼人の祭祀財産及び祭祀財産以外の財産の相続・処分してしまうことがなくなる。
【００７７】
そして、上記心神喪失していると判別された場合には、上記人／依頼人の治療をする情報が出力部４に提示され出力される（ステップ６２）。この治療は、薬の処方、投与、ホルモンの処方、投与、放射線治療、遺伝子治療などであり、治療機械、ＡＩなどを使って自動的または半自動的に、若しくは人為的に実行される。この治療によって、心神喪失が治癒または軽度になった場合には、再度ステップ３１以降の処理が繰り返され、祭祀財産及び祭祀財産以外の財産の相続・処分を許容する情報が出力部４に提示され出力される（ステップ３６）。
【００７８】
上記祭祀財産及び祭祀財産以外の財産の相続・処分を禁止する情報が提示され出力された場合（ステップ６１）、上記プログラム／データ記憶部７の記憶内容に基づき、上記人／依頼人が心神喪失を発生する前に、上記祭祀財産及び祭祀財産以外の財産及びその相続内容などを決めていたか否が判別される（ステップ６４）。
【００７９】
当該祭祀財産及び祭祀財産以外の財産の情報を締結していたと判別された場合には、プログラム／データ記憶部７に記憶されていた、心神喪失になる前の上記人／依頼人の上記祭祀財産及び祭祀財産以外の財産及びその相続内容などにつき、当該人／依頼人の財産を相続・処分する情報が出力部４に提示され出力される（ステップ４１〜４４、６６）。
【００８０】
これにより、上記人／依頼人が上記心神喪失、心神耗弱、認知症、痴呆などを発生していると判別された場合には、当該人／依頼人が心神喪失、心神耗弱、認知症、痴呆などを発生する前に記憶されたそれぞれの上記相続内容に基づき、上記祭祀財産及び祭祀財産以外の財産をそれぞれ相続・処分する情報が当該相続内容とともに提示され出力される。また、心神喪失になった後に財産の相続・処分などができるように、心神喪失前に決めておくことができ、財産の相続・処分などを心神喪失後も円滑かつ迅速に実行できる。
【００８１】
この処理では、まず、上記人／依頼人の上記祭祀財産及び祭祀財産以外の財産及びその相続情報などがあることがプログラム／データ記憶部７に記憶されていれば（ステップ６５）、当該祭祀財産及び祭祀財産以外の財産の相続、見直し、評価、管理、保全、処分、運用する情報が出力部４に提示され出力される（ステップ４１〜４４）。この図６のステップ４１〜４４は、図５のステップ４１〜４４と同じである。
【００８２】
繰り返しになるが、祭祀財産以外の全財産のデータ及びその相続内容などの情報がプログラム／データ記憶部７から読み出され出力部４に提示され出力される（ステップ４１）。この上記祭祀財産以外の財産であって、その相続内容などは、例えば相続される不動産、動産、土地、建物、車両、マイカー、船舶、航空機、車両、マイカー、その他乗り物、預金、貯金、現金、生命保険、株式、有価証券、債券、骨とう品、貴金属、宝石などの動産など、相続、非相続を問わず、多種多様なものが含まれる。
【００８３】
そして、この祭祀財産以外の財産についての相続内容の中の相続人の情報がプログラム／データ記憶部７から読み出され出力部４に提示される出力される（ステップ４２）。これにより、依頼者の意思がよく分かり祭祀財産以外の財産の遺産相続でもめることがない。この場合、相続人が複数であり、祭祀財産以外の財産も複数に分割される場合には、当該複数・分割の状況の情報が出力部４に提示され出力される。
【００８４】
次いで祭祀財産の全財産のデータ及びその相続内容の情報がプログラム／データ記憶部７から読み出され出力部４に提示され出力される（ステップ４３）。この祭祀財産であって、その相続内容などは、仏壇、仏像、仏具、位牌、神棚、墓碑、墓地、系譜、祭具、墳墓、十字架、聖書、コーラン、樹木葬または森林葬（登録商標）の樹木、森林、植物、これらの周辺の土・砂・石、遺骨で製造・加工された物、これらの地球上の所在場所の地理的情報、樹木葬または森林葬の葬儀の記録情報である。樹木葬または森林葬は、特定の樹木または森林の近傍に散骨される葬儀を意味する。このような樹木葬または森林葬には、海、川、宇宙、空中、地下、地上における散骨も含む。
【００８５】
この地理的情報は、東経、西経、北緯、南緯、ＧＰＳ情報、住所のほか、月、他の惑星、他の恒星、他の恒星の惑星のなどの地理的情報のほか、高度も含み、宇宙、空中、地上、地下、海面下、海面上なども含まれ、上記墓碑、墓地、散骨場所、仏壇、仏具、仏像、位牌、神棚、系譜、祭具、墳墓などの地理的位置を示す。この葬儀の記録情報は、葬儀・散骨の状況の画像、音声、時刻、時間などが含まれる。
【００８６】
そして、この祭祀財産についての相続内容の中の相続人であって、上記祭祀財産以外の財産についての相続人とは異なり一致しない相続人の情報がプログラム／データ記憶部７から読み出され出力部４に提示され出力される（ステップ４４）。これにより、依頼者の意思がよく分かり祭祀財産の遺産相続でもめることがない。この場合、相続人が複数であり、祭祀財産も複数に分割される場合には、当該複数・分割の状況の情報が出力部４に提示され出力される。
【００８７】
このように祭祀財産と祭祀財産以外の財産の相続内容には、相続人が含まれ、上記ステップ４５の祭祀財産の相続人と、上記ステップ４３の祭祀財産以外の財産の相続人とが異なり一致しない場合でも、両相続人が別々に記憶されるので対応できる。むろん、両相続人が同じで一致していてもよい。
【００８８】
そして、上記図５のステップ５１〜５７と同じ処理がなされる（ステップ６６）。このステップ６６の説明は、上述のステップ５１〜５７の説明を参照される。
【００８９】
これにより、心神喪失後に祭祀財産及び祭祀財産以外の財産の相続・処分などができるように、心神喪失前に決めておくことができ（上記ステップ６４）、祭祀財産及び祭祀財産以外の財産の相続・処分などを心神喪失後も円滑かつ迅速に実行できる。これは、心神喪失後の祭祀財産及び祭祀財産以外の財産の相続・手続には、心神喪失前の祭祀財産及び祭祀財産以外の財産への手続、希望が非常に役立つからである。
【００９０】
この祭祀財産及び祭祀財産以外の財産の相続、見直し、評価、管理、保全、処分、運用では、財産の時価を算定したり、財産を増加させたり、目減りしないように管理したり、例えば２０％減額したら売却したり、２０％増額したら売却したり、その他権利書の保管、通帳の保管、財産その他の重要書類の保管、行政上の手続、司法上の手続をしたりする。この財産には祭祀財産及び祭祀財産以外の財産も含まれてもよいが、含まれなくてもよい。
【００９１】
上記ステップ６４で、心神喪失前に祭祀財産及び祭祀財産以外の財産の相続・処分などについて決めていなかったときには（ステップ６４）、上記人／依頼人の上記祭祀財産及び祭祀財産以外の財産及びその相続情報などがあることがプログラム／データ記憶部７に記憶されていれば（ステップ７１）、公的機関の斡旋、指示、助言を仰ぐ情報が提示され出力されるなどにより、当該祭祀財産及び祭祀財産以外の財産の相続、見直し、評価、管理、保全、処分、運用する情報が出力部４に提示され出力される（ステップ７２）。
【００９２】
このような公的機関の斡旋、指示、助言仰ぐ情報が提示され出力されることは、主に祭祀財産の相続についてなされる。これにより、心神喪失があっても、さらに心神喪失前に祭祀財産の相続・処分などについて決めていなくても、祭祀財産の相続・処分の情報が提示され出力される。なお、このようなステップ７２の公的機関の斡旋、指示、助言を仰ぐ情報が提示され出力される財産の相続などは、祭祀財産以外の財産についてもなされてもよい。
【００９３】
このように、上記心神喪失、心神耗弱、認知症、痴呆を発生する前に、上記祭祀財産につき、当該人／依頼人の意思表示に基づく相続内容が記憶されていなければ、公的機関の斡旋、指示、助言を仰ぐ情報が提示される。
【００９４】
上記または下記各実施形態の一部を他の実施形態の一部に取り込んだり置き換えたり入れ替えたりしてもよいし、上述または後述の各実施形態の各部分の構成・構造は、上述または後述の他の実施形態の各部分の構成・構造にも、転用可能であるし、上述または後述の各実施形態の構成、作用、効果は、上述または後述の他の実施形態の構成、作用、効果としても、記載されているものとする。さらに、上述または後述の各実施形態で記載されていないことは、上述または後述の他の実施形態が参照される。
【００９５】
（７）他の実施の形態
本考案は、上記実施形態に限定されず、種々変更可能である。例えば、上記祭祀財産に係る宗教・宗派は、神道、仏教、キリスト教、イスラム教、ヒンズー教、浄土宗、浄土真宗、日蓮宗、禅宗、曹洞宗、臨済宗、天台宗、真言宗、カトリック、プロテスタント、ギリシャ正教、ロシア正教、シーア派、スンニー派など、何でもよく、上記祭祀財産、祭祀財産の相続内容もこれに応じて変化する。
【００９６】
上記収納体１１及び蓋１２は、上記祭祀財産を収納できれば、どのような形状、形態でもよく、祭祀財産の一部が収納体１１または蓋１２からはみ出していてもよく、祭祀財産が大きいときには、収納体１１及び蓋１２は祭祀財産に連結されてもよく、これらそれぞれの構成、動作、作用、工程または機能の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、表裏、手前、奥に傾斜／向きを変えて／反転されて使用されてもよく、それぞれの寸法の相対的大小は切り換えられてもよいし同じでもよく、一部または全部省略されてもよいし、形状は平坦、カーブしていてもよいし、穴が開いていてもよいし、凹凸があってもよいし、角張った形状、直方体状、多面体状、円柱、楕円柱、角柱、半円柱、半楕円柱、半角柱、円錐台、角錐台、球、卵形、半球、半卵形、多面体、ひょうたん形、鋸歯状、コイル、ひも、板、棒、ブロック、その他の立体形状、これらの組み合わせ立体形状でもよく、角張った段差のある形状、丸みを帯びた段差のある形状、丸みを帯びた凹凸のある形状、これらの組み合わせ形状、段差状、網状、枠状、シート状、メッシュ状、ブラインド状、スリット状、多数の穴があいたもの、これらの中央等に穴があいたもの、これらの組み合わせ複合形などでもよいし、一部または全部省略されてもよいし、材質は金属製、木製、竹製、樹脂製、金属製、ガラス製、綿製、布製、糸製、繊維製、ゴム製、紙製、セラミック製、カーボン製、これらの合成物製／混合物製／多層積層物製でもよいし、透明でも、半透明でもよい。
【００９７】
祭祀財産の相続内容と、祭祀財産以外の財産の相続内容とは、相続人が異なるほか、相続される財産が異なる、相続の日付が異なる、分割相続の有無が異なる、相続税の有無が異なる、相続放棄の有無が異なる、相続人の有無が異なるなどである。ここで相続人が一人と複数とであれば、この一人が両方の相続内容に重複しても、相続内容が異なるといえる。
【００９８】
例えば、祭祀財産は分割されないで一人に相続されて相続税は無く相続放棄はされず相続人がいなくても公的機関（家庭裁判所など）によって遠い親戚が捜されて相続がなされ、祭祀財産以外の財産は分割されて複数人に相続されて相続税はあり相続放棄がなされ相続人がいない場合国庫に帰属される。
【００９９】
上記相続内容の中の相続人につき、祭祀財産の相続人と、祭祀財産以外の財産の相続人とは一致しないが、一致していてもよい。墓じまいされた場合、残りの祭祀に係る財産／祭祀財産は、通常どおり相続されていくが、この場合残りの祭祀財産も相続されず消滅されてもよい。
【０１００】
上記祭祀財産の相続人が不存在の場合、または相続が放棄される場合、通常上記墓じまいが実行されるが、この場合でも墓じまいが実行されなくてもよい。上記ステップ６４で心神喪失を発生する前に、上記祭祀財産につき、当該人の意思表示に基づく相続内容が記憶されていなければ、ステップ７２で祭祀財産が消滅されたり墓じまいが実行されたりしてもよい。
【０１０１】
上記祭祀財産の一部または全部は、電子的に記録／記憶された情報であってもよい。例えば、当該祭祀財産を相続させたい相続人と当該相続させる意思表示のあった年月日（遺言状）、若しくは当該祭祀財産のこれまでの歴代の相続の相続人またはこの歴代の相続の各年月日若しくはこれらの系譜は電子的に記録／記憶されてもよい。このような電子的な記録／記憶は上記収納体１１または蓋１２に電子的に記録／記憶されてもよいし、記憶媒体に電子的に記録／記憶されてもよい。
【０１０２】
上記図２の全体回路の一部または全部は、収納体１１または蓋１２に設けられてもよいし、収納体１１または蓋１２に収納されてもよい。上記祭祀財産には、本人のインターネット上のホームページ、ブログ、ライン、ＳＮＳ、フェイスブック、その他本人に係るインターネット上のサイト、祭祀についてのサイトを含んでもよい。
【０１０３】
上記祭祀財産及び祭祀財産以外の財産及びその相続情報などの情報の情報処理装置、祭祀財産及び祭祀財産以外の財産及びその相続情報などの情報処理方法及び祭祀財産及び祭祀財産以外の財産及びその相続情報などの情報処理のためのコンピュータプログラムは、複数の場所、複数の国、国内外に分散して設けられた装置、プログラムによって、実行されてもよく、この場合各分散システムはインターネット回線、その他の通信回線を通じて接続され情報・データが送受される。
【０１０４】
これに応じて、上記情報記憶部６、プログラム／データ記憶部７、入力部３、出力部４、コンローラ１、収納体１１、蓋１２は、複数に分割、分離されて、これらの記憶手段に記憶された情報・データは、複数個所に分散記憶されてもよいし、上記フローチャートに応じたプログラム内に記憶されてもよい。
【０１０５】
上記人／依頼人は単数でも複数でもよい。複数の場合には、各人／依頼人を識別するデータが付加されてプログラム／データ記憶部７に書き込み／読み出し／記憶され、図２〜図６の処理が、各人／依頼人ごとに実行される。
【０１０６】
上記情報記憶部６、プログラム／データ記憶部７、入力部３、出力部４、コンローラ５１、収納体１１、蓋１２は、人／依頼人ごとに複数設けられてもよい。これにより、人／依頼人を識別する情報は省略できる。代わりに、複数の情報記憶部６、プログラム／データ記憶部７、入力部３、出力部４、コンローラ５１、収納体１１、蓋１２を識別する、エリアアドレスまたは上位アドレスを、人／依頼人を識別する情報として発生できる。
【０１０７】
上記祭祀財産及び祭祀財産以外の財産及びその相続情報などの情報処理は、任意後見監督人、任意後見人、後見監督人、成年後見人、法定代理人、保佐人、裁判所においても可能である。上記祭祀財産及び祭祀財産以外の財産及びその相続情報などの情報には、公正証書遺言、財産の相続・管理・保全・処分、委任契約など、あらゆる情報が含まれる。
【０１０８】
上記心神喪失には、アルツハイマー型認知症のほか、脳出血、脳梗塞、脳血管性認知症、脳血種、脳腫瘍、正常圧水頭症、慢性硬膜下血種、ビタミン欠乏症型、甲状腺機能低下症など、十種類もあるといわれている認知症を含むし、精神上の障害、例えば、痴呆、知的障害、精神障害のほか、判断能力の低下、身体能力の低下、その他の怪我・病気、死亡時、逝去時などを含む。
【０１０９】
本願でいう祭祀財産及び祭祀財産以外の財産及びその相続情報などの情報は、人／依頼人が精神上の障害により、事理を弁識する能力が不十分な状況になった以降における自己の生活・療養看護及び財産の管理関する事務の一部または全部を受任者（後見人など）に委託し、その委託に係る事務について代理権を付与する契約で、受任者が選任された時から契約の効力生じる旨の特約が付されたものである。
【０１１０】
上記人／依頼人には、祭祀財産及び祭祀財産以外の財産及びその相続情報などの情報を依頼した人、ステップ１１以降の処理を依頼した人、財産の相続・処分を依頼した人、心神喪失を発生する前の人、軽度な認知症を発生していても日常生活に正常な判断のできる人などの多種多様な人を含む。
【０１１１】
上記図２〜図６の各ステップの祭祀財産及び祭祀財産以外の財産及びその相続情報などの情報の情報処理（書き込み処理、読み出し処理）は、全体処理の中で実行されるのではなく、インタラプト処理により、管理者などによって書き込み、読み出しのコマンドが入力された時に実行されてもよいし、インタラプト処理により、連絡先などからインターネット回線などを通じてアクセスされた時に実行されてもよい。
【０１１２】
上記ステップ１１〜７２のそれぞれの処理の順番は一部または全部入れ変えてもよいし、一部または全部が省略されてもよいし、各ステップが均等の他の処理に置き換えられてもよいし、同等の機能を発揮する変化テーブル、ハードまたは回路で一部または全部が置き換え可能であり、均等の範囲で一部人為的に実行されてもよいし、分割分離されてその数が増えても減ってもよいし、これらそれぞれの一部または全部が省略されてもよいし、それぞれの処理は単数でも複数でも３つ以上でもよいし、これらの２つまたは３つ以上が合体または一体化されて兼用されてもよい。
【０１１３】
上記コントローラ１、アドレス／データバスライン２、入力部３、出力部４、インターフェース部５、情報記憶部６、プログラム／データ記憶部７、収納体１１、蓋１２、海馬傍回の萎縮度データ、遺伝子情報、祭祀財産の財産データ、祭祀財産以外の財産データ、これらの財産の相続情報、ライフライン・生命保険データ、後見人データ、遺言状データ、健康情報、介護情報、重要度の低い祭祀財産及び祭祀財産以外の財産及びその相続情報などの情報、重要度の高い祭祀財産及び祭祀財産以外の財産及びその相続情報などの情報は、単数でも複数でも３つ以上でもよいし、これらそれぞれの一部または全体は省略されてもよいし、分割分離されてその数が増えても減ってもよいし、その形状・配置形態・情報形態は任意に変更可能であり、均等の他の物に置き換えられてもよいし、これらの２つまたは３つ以上が合体または一体化されて兼用されてもよい。
【０１１４】
（８）他の考案の効果
［１］人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段に対して、  上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の処理と、  上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の処理とを、コンピュータに実行させる祭祀財産の情報処理のためのコンピュータプログラム。
【０１１５】
［２］人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段と、  上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の制御手段と、  上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の制御手段とを備えたことを特徴とする祭祀財産の情報処理装置。
【０１１６】
［３］上記相続内容は、相続人であり、祭祀財産の相続人と、祭祀財産以外の財産の相続人とは一致しないことを特徴とする請求項２記載の祭祀財産の情報処理装置。  これにより、祭祀財産の相続を祭祀財産以外の財産の相続から切り離して別個の相続を実現できる。
【０１１７】
［４］上記祭祀財産は、１つまたは複数の収納体に収納されて、上記人の心神喪失、心神耗弱、認知症、痴呆を発生する前に意思表示された当該祭祀財産の相続人と当該意思表示の年月日が、当該収納体または当該祭祀財産に記録されていることを特徴とする請求項３記載の祭祀財産の情報処理装置。  これにより、祭祀財産の相続の意思表示がなされ、遺言状として機能でき、祭祀財産とその遺言状を一体不可分にできる。
【０１１８】
［５］上記祭祀財産または上記収納体には、当該祭祀財産の歴代の相続の相続人または歴代の相続の年月日若しくはこれらの系譜が当該収納体または当該祭祀財産に記録されていることを特徴とする請求項４記載の祭祀財産の情報処理装置。  これにより、祭祀財産の相続の歴史をさかのぼって知ることができる。
【０１１９】
［６］上記収納体に収納される祭祀財産は、墓じまいされた残りの祭祀に係る財産であることを特徴とする請求項５記載の祭祀財産の情報処理装置。  これにより、墓じまいがあっても相続人に負担が無く祭祀財産を残すことができる。
【０１２０】
［７］上記祭祀財産は、上記墓じまいによる樹木葬または森林葬に係る樹木、森林または植物、これらの地球上の所在場所の地理的情報、これらの周囲の不動産、当該樹木、森林または植物の現在の映像若しくは樹木葬または森林葬の葬儀の状況の記録情報、墓じまいに係る仏具であることを特徴とする請求項６記載の祭祀財産の情報処理装置。  これにより、墓じまいがあっても相続人に負担が無く祭祀財産を残していくことができる。
【０１２１】
［８］上記祭祀財産の相続人が不存在の場合、または相続が放棄される場合、上記墓じまいが実行される情報が提示されることを特徴とする請求項７記載の祭祀財産の情報処理装置。  これにより、無縁墓地を防止でき、祭祀財産の相続が宙に浮いてしまうことがない。
【０１２２】
［９］上記心神喪失、心神耗弱、認知症、痴呆を発生する前に、上記祭祀財産につき、当該人の意思表示に基づく相続内容が記憶されていなければ、公的機関の斡旋、指示、助言を仰ぐ情報が提示されることを特徴とする請求項８記載の祭祀財産の情報処理装置。  これにより、祭祀財産の相続が確実に行われ、無縁墓地を防止できる。
【０１２３】
［１０］上記祭祀財産は、仏壇、仏具、仏像、位牌、神棚、墓碑、墓地、墓石、墓標、系譜、祭具、墳墓、十字架、聖書、コーラン、樹木葬または森林葬の樹木、森林、植物、周辺の土・砂・石、これらの地球上の所在場所の地理的情報、樹木葬または森林葬の葬儀の記録情報であることを特徴とする請求項９記載の祭祀財産の情報処理装置。  これにより、種々の祭祀財産を相続していくことができる。
【０１２４】
［１１］上記祭祀財産以外の財産は、不動産、動産、有価証券、生命保険、土地、建物、車両、船舶、航空機、預金、貯金、現金、生命保険、株式、有価証券、債券、骨とう品、貴金属、宝石である請求項１０記載の祭祀財産の情報処理装置。  これにより、種々の祭祀財産以外の財産を相続していくことができる。
【０１２５】
［１２］上記祭祀財産は分割されないで一人のみに相続されて相続税は無く相続放棄はされず相続人がいなくても公的機関によって遠い親戚が捜されて相続がなされ、上記祭祀財産以外の財産は分割されて複数人に相続されて相続税はあり相続放棄がなされ相続人がいない場合国庫に帰属されることを特徴とする請求項１１記載の祭祀財産の情報処理装置。  これにより、祭祀財産と祭祀財産以外の財産とで相続内容を異ならせることができる。
【０１２６】
［１３］人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段を備えたコンピュータに対して、  上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示させ、  上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示させることを特徴とするコンピュータに実行させる祭祀財産の情報処理方法。
【産業上の利用可能性】
【０１２７】
心神喪失が発生しても円滑に対応でき、祭祀財産の相続で、不測の損失を心神喪失者に与えないようにする。人／依頼人が心神喪失していないと判別された場合には（ステップ３５）、祭祀財産及び祭祀財産以外の財産の相続を許容する情報が出力部４に提示され（ステップ３６）、祭祀財産及び祭祀財産以外の財産の相続が許容される（ステップ４１〜５７）。この相続の情報が記憶されていなければ（ステップ３７）、祭祀財産及び祭祀財産以外の財産の相続の情報の入力が促される（ステップ３８）。
【０１２８】
人／依頼人が心神喪失していると判別された場合には（ステップ３５）、祭祀財産及び祭祀財産以外の財産の相続を禁止する情報が出力部４に提示され（ステップ６１）、公的機関の斡旋によって相続され（ステップ７２）、心神喪失の前に祭祀財産及び祭祀財産以外の財産の情報及びその相続情報などが残されていれば（ステップ６４）、これに基づいて祭祀財産及び祭祀財産以外の財産の相続などを促す情報が提示される（ステップ４１〜４４〜６６）。
【図１】
0003230897.tif 000003
【図２】
0003230897.tif 000004
【図３】
0003230897.tif 000005
【図４】
0003230897.tif 000006
【図５】
0003230897.tif 000007
【図６】
0003230897.tif 000008
【手続補正書】
【提出日】令和2年11月5日(2020.11.5)
【手続補正１】
【補正対象書類名】実用新案登録請求の範囲
【補正対象項目名】全文
【補正方法】変更
【補正の内容】
【実用新案登録請求の範囲】
【請求項１】
人の心神喪失、心神耗弱、認知症、痴呆の発生前に、当該人の祭祀財産につき、当該人の意思表示に基づく相続内容を記憶するとともに、当該人の祭祀財産以外の財産につき、当該人の意思表示に基づく上記祭祀財産の相続内容と異なる相続内容を記憶する記憶手段と、
上記人が心神喪失、心神耗弱、認知症、痴呆を発生しているか否かの判別結果に応じて、当該人が心神喪失、心神耗弱、認知症、痴呆を発生していないと判別された場合には、上記祭祀財産及び祭祀財産以外の財産の相続を、上記それぞれ異なる相続内容に基づいて、それぞれの相続を許容させるように提示する第一の制御手段と、
上記人が上記心神喪失、心神耗弱、認知症、痴呆を発生していると判別された場合には、当該人が心神喪失、心神耗弱、認知症、痴呆を発生する前に記憶されたそれぞれの上記相続内容に基づき、上記祭祀財産及び祭祀財産以外の財産をそれぞれ相続するように当該相続内容とともに提示する第二の制御手段とを備えたことを特徴とする祭祀財産の情報処理装置。
【請求項２】
上記相続内容は、相続人であり、祭祀財産の相続人と、祭祀財産以外の財産の相続人とは一致しないことを特徴とする請求項１記載の祭祀財産の情報処理装置。
【請求項３】
上記祭祀財産は、１つまたは複数の収納体に収納されて、上記人の心神喪失、心神耗弱、認知症、痴呆を発生する前に意思表示された当該祭祀財産の相続人と当該意思表示の年月日が、当該収納体または当該祭祀財産に記録されていることを特徴とする請求項２記載の祭祀財産の情報処理装置。
【請求項４】
上記祭祀財産または上記収納体には、当該祭祀財産の歴代の相続の相続人または歴代の相続の年月日若しくはこれらの系譜が当該収納体または当該祭祀財産に記録されていることを特徴とする請求項３記載の祭祀財産の情報処理装置。
【請求項５】
上記収納体に収納される祭祀財産は、墓じまいされた残りの祭祀に係る財産であることを特徴とする請求項４記載の祭祀財産の情報処理装置。
【請求項６】
上記祭祀財産は、上記墓じまいによる樹木葬に係る樹木、森林または植物、これらの地球上の所在場所の地理的情報、これらの周囲の不動産、当該樹木、森林または植物の現在の映像若しくは樹木葬の葬儀の状況の記録情報、墓じまいに係る仏具であることを特徴とする請求項５記載の祭祀財産の情報処理装置。
【請求項７】
上記祭祀財産の相続人が不存在の場合、または相続が放棄される場合、上記墓じまいが実行される情報が提示されることを特徴とする請求項６記載の祭祀財産の情報処理装置。
【請求項８】
上記心神喪失、心神耗弱、認知症、痴呆を発生する前に、上記祭祀財産につき、当該人の意思表示に基づく相続内容が記憶されていなければ、公的機関の斡旋、指示、助言を仰ぐ情報が提示されることを特徴とする請求項７記載の祭祀財産の情報処理装置。
す。